(57)【要約】【課題】本発明は、補助操作部を有する携帯通信端末において、補助操作部の操作利便性を高く保持した状態で、誤動作を確実に防止することができる携帯通信端末を提供する。【解決手段】携帯通信端末の主動作を入力指示するキー入力部２４とは別に、端末本体閉状態においても外面に露出する位置に設けられたサイドキー１６を有した携帯通信端末であって、前記サイドキー１６のロック機能を設定可能なキーロック制御部１０を有しており、該キーロック制御部１０に複数の設定情報を記憶する設定情報記憶部１３と、着信の発生した際に着信内容に応じて前記設定情報記憶部１３から設定情報を選択する設定情報選択部１４とが接続され、選択した設定情報に応じて前記サイドキー１６のロックの有無を設定可能としている。【選択図】  図１
2007215221.tif 000002
【特許請求の範囲】
【請求項１】
二つ以上の筐体を開閉可能に連結してなり、閉状態にて外部に露出しない主操作部と、開閉状態にて前記筐体の外面に露出する補助操作部とを有し、前記補助操作部のキーロックを制御するロック機能とを備えた携帯通信端末において、
前記ロック機能は、複数の設定情報を記憶する記憶手段と、前記キーロックの起動中に着信が発生した際、着信内容に応じて前記記憶手段から前記設定情報のいずれかを選択する手段とを備え、選択された設定情報に基づいて前記キーロックの条件を制御するようにし、
前記設定情報には、着信が発生した際に、前記キーロックを自動解除するまでの時間を着信内容に応じて可変する設定を含むことを特徴とする携帯通信端末。
【請求項２】
二つ以上の筐体を開閉可能に連結してなり、閉状態にて外部に露出しない主操作部と、開閉状態にて前記筐体の外面に露出する補助操作部とを有し、前記補助操作部のキーロックを制御するロック機能とを備えた携帯通信端末において、
前記ロック機能は、複数の設定情報を記憶する記憶手段と、前記キーロックの起動中に着信が発生した際、着信内容に応じて前記記憶手段から前記設定情報のいずれかを選択する手段とを備え、選択された設定情報に基づいて前記キーロックの条件を制御するようにし、
前記設定情報には、着信が発生した際に、前記キーロックを自動解除し、その後再度キーロックを起動する設定であって、
前記キーロックの自動解除から再度キーロックを起動するまでの時間を、着信内容に応じて可変する設定を含むことを特徴とする携帯通信端末。
【請求項３】
二つ以上の筐体を開閉可能に連結してなり、閉状態にて外部に露出しない主操作部と、開閉状態にて前記筐体の外面に露出する補助操作部とを有し、前記補助操作部のキーロックを制御するロック機能とを備えた携帯通信端末において、
前記ロック機能は、複数の設定情報を記憶する記憶手段と、前記キーロックの起動中に着信が発生した際、着信内容に応じて前記記憶手段から前記設定情報のいずれかを選択する手段とを備え、選択された設定情報に基づいて前記キーロックの条件を制御するようにし、
前記設定情報には、着信が発生した際に、前記キーロックを自動解除し、通話あるいは閲覧の終了により再度キーロックを起動する設定を含むことを特徴とする携帯通信端末。
【請求項４】
二つ以上の筐体を開閉可能に連結してなり、閉状態にて外部に露出しない主操作部と、開閉状態にて前記筐体の外面に露出する補助操作部とを有し、前記補助操作部のキーロックを制御するロック機能とを備えた携帯通信端末において、
前記ロック機能は、複数の設定情報を記憶する記憶手段と、前記キーロックの起動中に着信が発生した際、着信内容に応じて前記記憶手段から前記設定情報のいずれかを選択する手段とを備え、選択された設定情報に基づいて前記キーロックの条件を制御するようにし、
前記設定情報には、着信が発生した際に、前記キーロックを自動解除し、通話あるいは閲覧の終了により再度キーロックを起動する設定であって、
通話あるいは閲覧の終了により再度キーロックを起動するまでの時間を、着信内容に応じて可変する設定を含むことを特徴とする携帯通信端末。
【請求項５】
前記着信内容は、通話呼出又はメール情報受信のいずれか一方であることを特徴とする請求項１乃至４のいずれか一に記載の携帯通信端末。
【請求項６】
前記設定情報には、着信が発生した際に前記キーロックを解除しない設定と、着信が発生した際に前記キーロックを自動解除する設定とを含むことを特徴とする請求項１乃至５のいずれか一に記載の携帯通信端末。
【請求項７】
前記携帯通信端末の開閉状態を検出する手段を有し、
前記ロック機能は、閉状態が所定時間検出された場合に前記キーロックを起動することを特徴とする請求項１乃至６の何れか一に記載の携帯通信端末。
【発明の詳細な説明】
【技術分野】
【０００１】
本発明は、主動作の入力指示を行う主操作部とは別にサイドキー等の補助操作部を有する携帯通信端末に関し、特に、操作部の入力に基づく処理が無効となるように予め設定可能なロック機能を有する携帯通信端末に関する。
【背景技術】
【０００２】
携帯電話機をはじめとする携帯通信端末では、着衣のポケット又は鞄に収納した際に利用者が気付かないうちに入力キーが押下され、画面変更や、時には発信等の誤動作を招いてしまうという問題があった。そこで、従来は、入力キー等の操作部からの処理を無効化するロック機能を具備することでかかる問題を解消していた。ロック機能は、通常メニュー画面からの設定や特定のキーの長押しにより予めロック状態を設定可能で、ロックを解除する際には２つ以上のキーの同時押下や特定キーの長押し、又は数桁のロックコードの入力等の誤動作を極力回避可能な入力操作により解除可能としている。
【０００３】
近年、携帯通信端末は多様な機種が流通しており、例えば、キー入力部を有する筐体と画面表示部を有する筐体からなる２つの筐体が、その一端を回動可能に連結され、折畳時には前記キー入力部と画面表示部とが対面するように収納される折畳式（フォルダータイプ）や、また別の折畳式のタイプとして、キー入力部と画面表示部とを有する筐体にキー入力部を覆うカバーが回動自在に接続された折畳式（フリップタイプ）、さらにまた、キー入力部を有する筐体と画面表示部を有する筐体とが水平回動可能に連結される水平回動式等が挙げられる。
【０００４】
さらに、操作の利便性を図って、キー入力部とは別に筐体側部に設けたサイドキー等の補助操作部を有する端末も多く流通している。補助操作部は、かかる端末の主動作を入力指示する主操作部とは別部位に設けられ、利用頻度の多い操作を簡易化して処理可能にしている。特に、前記したような、キー入力部が他筐体若しくはカバーにより被覆されて収納時に操作不可能である場合には、携帯通信端末を収納している状態でも補助操作部により簡単な操作を実行することができる。
【０００５】
しかし、前記補助操作部を有する携帯通信端末では、誤動作の発生頻度が高いという問題がある。そこで、誤動作防止のために前記したようなロック機能を設けると、本来の目的である操作の簡易化を達成することができなくなる。またロック機能の設定は非常に煩わしいため設定忘れが発生する惧れがある。
【０００６】
そこで、操作が容易でかつ確実なロック機能を実現することができる携帯電話機が特開２００１−２８５４４２公報（特許文献１）に開示されている。
【０００７】
かかる携帯電話機は、電話機の開閉検出後に、予め記憶された設定情報に基づきキーのロックを行う機能を有し、さらにタイマーや時計機能を利用してキーをロックする時間及びその時間帯を設定する機能を有している。これにより、補助操作部の操作利便性を最大限に活用可能で、かつタイマーや時計機能を利用することにより何度も設定操作を行うという煩わしさが解消される。
【特許文献１】特開２００１−２８５４４２公報
【発明の開示】
【発明が解決しようとする課題】
【０００８】
このように、偶発的な入力操作による誤動作を防止するロック機能を有する携帯通信端末の場合、ロック機能の設定変更操作が煩雑で利用者に煩わしさを与えていた。特に、通話呼出があった際に呼出時間内に解除操作を行うことができず、呼出が途絶えてしまうという問題もあった。
【０００９】
また、補助操作部を有する携帯通信端末においては、前記特許文献１のように各種設定を可能にすることにより、キーロックの起動／解除操作の煩わしさは解消できるが、近年の携帯通信端末に具備される機能は、例えば通話機能、ＳＭＳ（ショートメッセージサービス）やＥメール等のメール送受信機能等のように多肢に亘っており、全ての着信に対して同様のロック機能を発揮した場合、例えば応答する必要のない着信があった際にもキーロックが解除されてしまうなど、本来の問題点であった誤動作の発生する可能性が大きくなる。
【００１０】
従って、本発明はかかる従来技術の問題に鑑み、補助操作部を有する携帯通信端末において、補助操作部の操作利便性を高く保持した状態で、誤動作を確実に防止することができる携帯通信端末を提供することを目的とする。
【課題を解決するための手段】
【００１１】
そこで、本発明はかかる課題を解決するために、
二つ以上の筐体を開閉可能に連結してなり、閉状態にて外部に露出しない主操作部と、開閉状態にて前記筐体の外面に露出する補助操作部とを有し、前記補助操作部のキーロックを制御するロック機能とを備えた携帯通信端末において、
前記ロック機能は、複数の設定情報を記憶する記憶手段と、前記キーロックの起動中に着信が発生した際、着信内容に応じて前記記憶手段から前記設定情報のいずれかを選択する手段とを備え、選択された設定情報に基づいて前記キーロックの条件を制御するようにしたことを特徴とする。
【００１２】
また、前記着信内容は、通話呼出又はメール情報受信のいずれか一方であることを特徴とする。
【００１３】
また、前記設定情報には、着信が発生した際に前記キーロックを解除しない設定と、着信が発生した際に前記キーロックを自動解除する設定とを含むことを特徴とする。
【００１４】
さらに、前記設定情報には、着信が発生した際に、前記キーロックを自動解除するまでの時間を着信内容に応じて可変する設定を含むことを特徴とする。
【００１５】
また、前記設定情報には、着信が発生した際に、前記キーロックを自動解除し、通話あるいは閲覧の終了により再度キーロックを起動する設定であって、
通話あるいは閲覧の終了により再度キーロックを起動するまでの時間を、着信内容に応じて可変する設定を含むことを特徴とする。
【００１６】
さらに、前記設定情報には、着信が発生した際に、前記キーロックを自動解除し、通話あるいは閲覧の終了により再度キーロックを起動する設定を含むことを特徴とする。
【００１７】
さらにまた、前記設定情報には、着信が発生した際、前記キーロックを自動解除し、通話あるいは閲覧の終了により再度キーロックを起動する設定であって、通話あるいは閲覧の終了により再度キーロックを起動するまでの時間を、着信内容に応じて可変する設定を含むことを特徴とする。
【００１８】
また、前記筐体閉状態にて露出するタッチセンサを有し、
前記設定情報には、前記タッチセンサへの接触が検出された際に、前記キーロックを解除する設定を含むことを特徴とする。
【００１９】
また、前記携帯通信端末の開閉状態を検出する手段を有し、
前記ロック機能は、閉状態が所定時間検出された場合に前記キーロックを起動することを特徴とする。
【発明の効果】
【００２０】
以上記載のごとく本発明によれば、補助操作部を主操作部と独立して設定可能としたため、補助操作部の操作性を高く保持し、かつ補助操作部による誤動作を確実に防止することができる。
【００２１】
また、着信内容に応じて設定可能な構成としたため、着信内容種別毎の応答動作を考慮した設定とすることができ利用者の使い勝手が向上する。
【００２２】
さらに、本発明によれば補助操作部のロック／ロック解除を自動で若しくは簡単な操作で行うことができるため利便性が向上する。
【発明を実施するための最良の形態】
【００２３】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２４】
図１は本発明の実施形態にかかるサイドキーロック機能を備えた携帯通信端末のブロック図、図２乃至図４は本第１乃至第３実施形態にかかるロック機能の処理を示すフロー図、図５は折畳式携帯電話機の外観構成図、図６は水平回動式携帯電話機の外観構成図である。
【００２５】
本実施形態では携帯通信端末として、図５若しくは図６に示されるような携帯電話機を例に挙げて説明するが、これに限らず他端末との通信機能を有し、さらに該端末の主動作を入力支持する主操作部と、端末を折畳み閉じた状態、あるいは端末の主操作部を有する面に対して、表示部付き筐体を水平に回動して閉じた状態などおいても外面に露出する補助操作部を有するものであれば良い。
【００２６】
まず、図５の外観斜視構成図により本実施形態に係る携帯通信端末の一例である折畳式携帯電話機３０Ａの全体構成を説明する。かかる折畳式携帯電話機３０Ａにおいて、図５（ａ）は携帯電話機利用時であって該電話機を開いた状態で、（ｂ）は収納時であって該携帯電話機を閉じた状態を示す。かかる携帯電話機３０Ａは、画面表示部２３を一面に有する上部筐体３１ａと、キー入力部２４を一面に有する下部筐体３１ｂとが回動軸３４を介して結合されており、前記画面表示部２３とキー入力部２４とが対向して互いの筐体が重ね合わさる状態で折畳み収納される。
【００２７】
さらに、前記下部筐体３１ｂの側面にはサイドキー１６が具備されている。該サイドキー１６はかかる携帯電話機３０Ａを閉じた状態においても外面に露出する位置に設けられ、例えば着信への応答及び応答保留が携帯電話機利用時の選択画面における上下選択や確定処理、さらには携帯電話機の各種機能の選択にも利用される。
【００２８】
また、前記下部筐体３１ｂには、前記キー入力部２４と同じ面にタッチセンサ１８が備えられている。該タッチセンサ１８は、その表面への接触を感知して後述するキーロック制御部の制御回路へ信号を送信する。かかるセンサには、例えば該センサが具備する電極に身体の一部が接触することにより信号が発生する静電誘導検出方式などを適用することができる。さらに、前記タッチセンサ１８は、前記サイドキー１６と同様に、上部又は下部筐体の側面に配置しても良いことは言うまでもない。
【００２９】
また、前記上部筐体３１ａには、前記画面表示部２３と対向する側の面、即ち携帯電話機３０Ａを閉じた状態で外面に露出する面に、サブ表示部３５が備えられている。該サブ表示部３５には、現在時刻、日付等が表示され、さらに本実施形態では後述するキーロック機能のロック状態、ロック解除状態などが表示される。
【００３０】
図６は水平回動式携帯電話機３０Ｂの外観斜視構成図であり、（ａ）は携帯電話機利用時であって筐体が開の状態で、（ｂ）は該携帯電話機の収納途中の状態で、（ｃ）は収納時であって筐体が閉の状態を示す。
【００３１】
かかる携帯電話機３０Ｂは、画面表示部２３を有する上部筐体３１ａとキー入力部２４を有する下部筐体３１ｂとが図示していない回動軸により連結されており、該回動軸を介して図６（ｂ）のごとく矢印Ａ方向に水平回動させることにより、（ｃ）に示されるように前記キー入力部２４が上部筐体３１ａにより被覆され、前記画面表示部２３が外面に露出したまま収納される。
【００３２】
前記下部筐体３１ｂには、収納時においても外面に露出する位置に設けられたサイドキー１６と、前記キー入力部２４と同じ面上に設けられたタッチセンサ１８とを有している。尚、タッチセンサ１８は、上述した図５における説明と同様に、その配置に関して制限されるものではない。
【００３３】
次に、図１を参照してこれらの携帯電話機３０Ａ、３０Ｂに代表される前記携帯通信端末の内部構成を説明する。本体制御部２０は、通話やメール閲覧、メール作成及び送受信、その他各種機能設定等の主動作を制御する機能を有し、文字及び図柄によるメッセージ情報の送受信部２１と、呼出機能を含む他端末との通話機能、着信応答等の音声情報の処理を行う音声処理部２２と、これらの主動作を入力指示するキー入力部２４と、液晶画面等からなる画面表示部２３と、が前記本体制御部２０に接続されている。
【００３４】
また本実施形態では、前記本体制御部２０にキーロック制御部１０が接続されている。
【００３５】
かかるキーロック制御部１０は、前記サイドキー１６より入力された信号を検出するキー操作検出手段１５と、携帯通信端末の開閉状態を検出する開閉検出センサ１７と、接触を感知することにより信号を送信するタッチセンサ１８と、キーロックに関する情報が記憶される設定情報記憶部１３と、該記憶部１３に格納された設定情報から適した情報を選択する設定情報選択部１４と、が接続されている。さらに、本実施形態では、前記キーロック制御部１０がキーロックタイマ１１と着信内容判別部１２とを備えた構成となっている。
【００３６】
前記キーロック制御部１０は、本体制御部２０に具備されるキー入力部２４のキーロック機能とは別に設けられ、前記サイドキー１６のみを独立して制御可能としている。前記設定情報記憶部１３には、前記キー入力部２４（あるいはサイドキー１６）からのキー入力操作により選択可能な予め数パターンのキーロック設定情報が格納されている。
【００３７】
前記設定情報記憶部１３には以下のようなキーロック設定情報を格納することができる。まず、キー入力部２４若しくはサイドキー１６の入力操作によりサイドキー１６をキーロックし、サイドキー操作による処理を無効化する設定、また着信が発生した際の設定としては、前記キーロックを解除しない設定、前記キーロックを自動解除する設定、前記キーロックを自動解除するまでの時間を着信内容に応じて可変とする設定、前記キーロックを自動解除し、その後再度キーロックを起動する設定であって、該キーロックの自動解除から再度キーロックを起動するまでの時間を着信内容に応じて可変とする設定、前記キーロックを自動解除し、通話あるいは閲覧の終了により再度キーロックを起動する設定、またこのとき通話あるいは閲覧の終了により再度キーロックを起動するまでの時間を着信内容に応じて可変とする設定等がある。
【００３８】
さらに、開閉可能に構成されている携帯通信端末において、前記開閉検出センサ１７が未利用時の閉状態を所定時間検出した場合に前記キーロックを起動する設定、前記タッチセンサ１８への接触が検出された際に、前記キーロックを解除する設定等も格納することができる。さらに通話呼出若しくはメール情報受信等の着信内容を前記着信内容判別部１２により判別し、これに基づき前記設定を異ならせる設定をしても良い。
【００３９】
かかる設定情報を利用者の要望に応じて前記設定情報選択部１４により適宜設定する。
【００４０】
尚、かかる実施形態では前記キーロックタイマ１１、開閉検出センサ１７若しくはタッチセンサ１８を具備しない構成であっても良い。
【００４１】
またかかる実施形態では、前記キーロック制御部１０内に主操作部であるキー入力部２４のロック機能を設けることも可能で、また本体制御部２０内に具備されるキー入力部２４のキーロック機能と前記サイドキー１６のキーロック制御部１０とを連動させることもできる。さらには、キー入力部２４及びサイドキー１６のキーロック機能制御を１つの本体制御部にて行う構成としてもよい。
【００４２】
次に、図２乃至図４により本実施形態にかかるロック機能の処理につき説明する。図２に示す本発明の第１実施形態によれば、まずサイドキー１６若しくはキー入力部２４により前記設定情報記憶部１３から設定情報を選択し（Ｓ１）、サイドキーをキーロックして（Ｓ２）サイドキーの処理操作を無効化する。
【００４３】
このとき、前記画面表示部２４若しくはサブ表示部３５にキーロックを示す内容を表示するか、若しくは音声により通知することが好適である。
【００４４】
そして、他端末より着信があった場合、前記着信内容判別部１２によりその着信種別を判別し、該着信が通話呼出着信である場合（Ｓ５）にはサイドキー１６のキーロックを自動解除し（Ｓ６）、メール情報着信である場合（Ｓ１１）にはキーロックを継続する（Ｓ１２）。
【００４５】
さらに前記通話呼出着信によりキーロックが解除されると（Ｓ６）、サイドキー操作の有無を検出し（Ｓ７）、操作が検出された場合にはキーロック解除状態を継続して通話（Ｓ８）可能とする。このとき、通話状態とするにはサイドキー押下、筐体開状態検出、通話キー押下など、いずれの態様からでも通話開始とすることができることは言うまでもない。そして、終話（Ｓ９）して待ち受け画面に戻るとともに、再度キーロックを復帰させる（Ｓ１０）。一方、前記サイドキー操作が検出されない場合には再度キーロックを復帰させ、再度キーロックされた状態（Ｓ１３）に戻す。
【００４６】
このように、前記着信内容に応じてキーロック状態を異ならせることにより、必要な時に臨機応変な対応を採ることができ、利便性が向上するとともに誤動作を確実に防止することが可能となる。
【００４７】
図３に示す本発明の第２実施形態は、前記第１実施形態と同様に、まずキーロック設定情報を選択する（Ｓ２１）。かかる実施形態では前記キーロックタイマ１１により、キーロックされた状態で着信があった時点からキーロック自動解除までの時間Ｔ１、Ｔ２を異ならせて設定する。そして、サイドキー１６をキーロックしてサイドキーによる処理操作を無効化する（Ｓ２２）。
【００４８】
サイドキーをロックした状態で着信があった場合（Ｓ２３）、前記着信内容判別部１２により着信種別を判別し（Ｓ２４）、通話呼出着信（Ｓ２５）があった時点から予め設定した時間Ｔ１経過後に、キーロックが自動解除（Ｓ２６）し、サイドキー１６の操作の有無を検出する（Ｓ２７）。サイドキー操作を検出すると通話（Ｓ２８）可能な状態となり、通話が終了（Ｓ２９）した後に再度キーロックを復帰させ（Ｓ３０）、サイドキー１６をキーロックした状態に戻す（Ｓ３６）。
【００４９】
一方、前記着信内容が文字（メール）又は画像情報着信であった場合（Ｓ３１）、通話呼出着信と同様に文字（メール）又は画像情報着信があった時点から予め設定した時間Ｔ２経過後にキーロックが自動解除され（Ｓ３２）、その後サイドキー操作の有無を検出し（Ｓ３３）、操作があったときには文字（メール）又は画像閲覧（Ｓ３４）可能な状態となり、閲覧が終了した後に再度キーロックが復帰され（Ｓ３５）、サイドキー１６がキーロックされた状態に戻る（Ｓ３６）。
【００５０】
尚、かかる実施形態において、着信内容に応じてキーロック解除状態からキーロック復帰までの時間を設定可能としても良い。さらに、前記自動解除までの時間を通話呼出着信のときは短くメール情報着信のときは長く、という具合に着信内容種別により異ならせることもできる。
【００５１】
また、前記第２実施形態の別の実施形態として、同様に図３に示されるように、まずキーロック設定情報を選択する（Ｓ２１）。かかる実施形態では前記キーロックタイマ１１により、着信内容に応じてキーロック解除状態からキーロック復帰までの時間Ｔ３、Ｔ４を異ならせて設定する。そして、サイドキー１６をキーロックしてサイドキーによる処理操作を無効化する（Ｓ２２）。
【００５２】
サイドキーをロックした状態で着信があった場合（Ｓ２３）、前記着信内容判別部１２により着信種別を判別し（Ｓ２４）、通話呼出着信の場合（Ｓ２５）にはキーロックを自動解除（Ｓ２６）し、サイドキー１６の操作の有無を検出する（Ｓ２７）。サイドキー操作を検出すると通話（Ｓ２８）可能な状態となり、通話が終了（Ｓ２９）した時点から予め設定した時間Ｔ３経過後にキーロックを復帰させ（Ｓ３０）、サイドキー１６をキーロックした状態に戻す（Ｓ３６）。
【００５３】
一方、前記着信内容が文字（メール）又は画像情報着信であった場合（Ｓ３１）、通話呼出着信と同様にキーロックが自動解除され（Ｓ３２）、その後サイドキー操作の有無を検出し（Ｓ３３）、操作があったときには文字（メール）又は画像閲覧（Ｓ３４）可能な状態となり、閲覧が終了して予め設定された時間Ｔ４の間キー操作が検出されなければキーロックが復帰され（Ｓ３５）、サイドキー１６がキーロックされた状態に戻る（Ｓ３６）。
【００５４】
尚、かかる実施形態において、キーロックされた状態で着信があった時点からキーロック自動解除までの時間を設定可能としても良い。さらに、前記自動解除までの時間を着信内容種別により異ならせることもできる。
【００５５】
上記した図３に示される実施形態のように、キーロックタイマ１１を利用することにより、各着信内容種別毎の利用時間あるいは利用方法に最適なキーロック設定を行うことが可能となる。
【００５６】
図４に本発明の第３実施形態として、前記タッチセンサ１８と開閉検出センサ１７を具備した携帯通信端末の処理フローを示す。
【００５７】
かかる実施形態では、前記第１実施形態と同様にまずキーロック設定情報の選択（Ｓ４１）を行った後に、サイドキー１６をキーロックする（Ｓ４２）。サイドキー１６にロックがかかった状態で着信があると、前記着信内容判別部１２により着信種別を識別し、通話呼出着信（Ｓ４５）の場合には前記タッチセンサ１８の接触信号が検出されたか否かを判断する（Ｓ４６）。接触信号が検出されるとキーロックが自動解除され（Ｓ４７）、サイドキー１６の操作により通話（Ｓ４９）可能な状態となる。通話が終了すると（Ｓ５０）、キーロックが自動的に復帰（Ｓ５１）し、サイドキーがキーロックされた状態に戻る（Ｓ５８）。
【００５８】
一方、前記タッチセンサ１８の接触信号が検出されなかった場合には、キーロックが解除されることなくロックされた状態が継続し、また前記サイドキー操作（Ｓ４８）において操作されなかった場合には再度キーロックが復帰し（Ｓ５１）キーロックされた状態に戻る（Ｓ５８）。
【００５９】
また、前記着信内容判別（Ｓ４４）にてメール情報着信が認識された場合には（Ｓ５２）、キーロックが自動解除され（Ｓ５３）、サイドキー１６の操作によりメールの閲覧が可能となる（Ｓ５５）。閲覧終了後に前記開閉検出センサ１７により所定時間の閉状態が検出されると（Ｓ５６）、キーロックが復帰され（Ｓ５７）、サイドキーがキーロックされた状態に戻る（Ｓ５８）。
【００６０】
このように、前記タッチセンサ１８による接触検出を行うことにより、利用者の操作が確実に反映され、誤動作が発生することが殆どない。さらに、前記タッチセンサ１８に触れるのみでキーロックが解除されるため、煩雑な操作を必要とせず利用者にとって操作利便性が向上する。
【００６１】
尚、前記第１乃至第３実施形態では、通話呼出着信及びメール情報着信において説明したが、特にこれらに限るものではなく、例えば各種アプリケーション等にも利用することができる。また、夫々の設定を適宜組み合わせて利用することも可能である。
【図面の簡単な説明】
【００６２】
【図１】本発明の実施形態にかかるキーロック機能を備えた携帯通信端末のブロック図である。
【図２】本第１実施形態にかかるロック機能の処理を示すフロー図である。
【図３】本第２実施形態にかかるロック機能の処理を示すフロー図である。
【図４】本第３実施形態にかかるロック機能の処理を示すフロー図である。
【図５】折畳式携帯電話機の外観構成図である。
【図６】水平回動式携帯電話機の外観構成図である。
【符号の説明】
【００６３】
１０  キーロック制御部
１１  キーロックタイマ
１２  着信内容判別部
１３  設定情報記憶部
１４  設定情報選択部
１５  キー操作検出手段
１６  サイドキー
１７  開閉検出センサ
１８  タッチセンサ
３０Ａ  折畳式携帯電話機
３０Ｂ  水平回動式携帯電話機
３１ａ  上部筐体
３１ｂ  下部筐体
【図１】
2007215221.tif 000003
【図２】
2007215221.tif 000004
【図３】
2007215221.tif 000005
【図４】
2007215221.tif 000006
【図５】
2007215221.tif 000007
【図６】
2007215221.tif 000008